(57)【特許請求の範囲】
【請求項１】
イネーブルスイッチを持つハウジングアセンブリと、
青色発光スペクトルの光を放出するように構成されるLEDアセンブリとを有する、乳幼児光線治療装置であって、
前記LEDアセンブリは、給電されると、前記ハウジングアセンブリの一端から光を放出するように、前記ハウジングアセンブリ内にその両端の間に取り付けられ、
前記ハウジングアセンブリは、全体的に円筒形の外部表面を有するが、中心部の直径は、両側の部分の直径よりも小さく、
前記イネーブルスイッチは、作動されるときに前記LEDアセンブリの給電を制御し、
前記イネーブルスイッチは、モードアダプタの対の一方が選択的に取り外し可能に前記ハウジングアセンブリに接続されるときに作動されるように配置され構成され、
前記モードアダプタの対の一方が、スポットライトモードアダプタを有し、前記スポットライトモードアダプタは、前記前記ハウジングアセンブリに選択的に取り外し可能に接続されるときに、前記光線治療装置が開口部を通じて光を放出することによりスポットライトの態様で動作することを可能にする開口部を中に備え、
前記ハウジングアセンブリの外部に放出される光と干渉することなく、前記ハウジングアセンブリを内部に取り外し可能に固定して包含するように構成されるバッグのような構造を更に有し、
前記バッグのような構造が、ここに取り付けられる取り付けストラップを含み、
前記バッグのような構造は、ジッパーを含む、乳幼児光線治療装置。
【請求項２】
前記ハウジングアセンブリが、前記LEDアセンブリによる前記光の放出を制御する外部オンオフスイッチを有し、該オンオフスイッチは、ユーザが片手で前記外部表面をつかんで前記オンオフスイッチを作動することができるように配置される、請求項１に記載の乳幼児光線治療装置。
【請求項３】
前記ハウジングアセンブリが、この両端に端部の部材を有し、前記全体的に円筒形の外部表面は、相互に係合される相補的な半分のシェルの対によって、前記端部の部材に支持されて形成される、請求項２に記載の乳幼児光線治療装置。
【請求項４】
前記相補的な半分のシェルは、協調した態様で一緒にされるとき、前記相補的な半分のシェルを相互接続するのに役立つ、相互に係合した縁フランジを有する、請求項３に記載の乳幼児光線治療装置。
【請求項５】
前記乳幼児光線治療装置が、前記装置の使用時間を示すディスプレイを有する請求項１に記載の乳幼児光線治療装置。
【請求項６】
前記モードアダプタ対の一方が、その遠位端において細長い可撓性光ファイバ光伝送アセンブリ及び光放出パネルと接続されるパネルモードアダプタを有し、前記LEDアセンブリから放出される光が前記光ファイバ光伝送アセンブリによって前記光放出パネルに伝搬され、前記光放出パネルは治療される乳幼児の周りに巻かれ得る、請求項１に記載の乳幼児光線治療装置。
【請求項７】
前記ハウジングアセンブリの両端は、内部に空気吸入口及び空気排出口を有し、
前記LEDアセンブリは、前記吸入口と前記排出口との間に中間流路を備えるLED取り付け構造を有し、
前記乳幼児光線治療装置は更に、前記ハウジングアセンブリ内の、前記吸入口、前記中間流路、及び前記排出口を順次通過して空気を循環させる位置に取り付けられるファンを有する、請求項１に記載の乳幼児光線治療装置。
【請求項８】
前記乳幼児光線治療装置は更に、前記LEDアセンブリが使用中であること及びこの総使用時間を示す液晶読み出し部を含む、請求項７に記載の乳幼児光線治療装置。
【請求項９】
前記ハウジングアセンブリが、光の放出を制御する外部オンオフスイッチを有し、前記バッグのような構造は、前記ハウジングアセンブリが中に包含されるとき、前記オンオフスイッチへのアクセスを可能にする開口部を有する、請求項１に記載の乳幼児光線治療装置。
【発明の詳細な説明】
【技術分野】
【０００１】
この出願は、米国法典第３５編１１９条（ｅ）に基づき、２００７年７月２４日に出願された米国仮特許出願６０／９６１７５１についての優先権を主張し、この内容全ては、参照によってここに組み込まれる。
【０００２】
本発明は、光線治療装置に関し、より詳細には、乳幼児に対して光線治療を行う乳幼児光線治療装置に関する。
【背景技術】
【０００３】
放射エネルギー、通常、特定の波長を持つ可視光を生成し、患者の表面にエネルギーを伝送する光線治療装置が知られている。あるタイプの光線治療装置では、ハロゲンバルブからの光が、黄疸を治療するために患者の表面に送られる。このような従来の光線治療装置の一例は、ピッツバーグ、PAのRespironics社によって流通されるWallaby（登録商標）光線治療システムである。
【０００４】
このような従来の光線治療装置は、通常、光源と、患者に光を送るように光源に結合される近位端を有する光ファイバケーブルとを含む。光ファイバのパネルは、患者の皮膚に隣接して配置され得る光の毛布を提供するため、光ファイバケーブルの遠位端に配置される。この装置は、黄疸にかかった乳幼児、特に新生児の治療に適している。
【発明の概要】
【発明が解決しようとする課題】
【０００５】
本発明は、ここで、既知の光線治療装置に対するいくつかの改良を提供する。
【課題を解決するための手段】
【０００６】
本発明の一態様によると、接続サイトを有するハウジングアセンブリと、ハウジングアセンブリ内で伝搬され、ハウジングアセンブリから光を放出するように構成される光源と、光源の操作性を有効及び無効に動作可能なイネーブルスイッチと、接続サイトにおいてハウジングアセンブリと選択的に取り外し可能に接続されるように構成されるスポットライトモードアダプタと、パネルモードアダプタを含むパネルモードアセンブリとを有する乳幼児光線治療装置が提供され、スポットライトモードアダプタの接続サイトへの取り付けは、イネーブルスイッチを無効な構成から有効な構成に変更させ、スポットライトモードアダプタの取り外しは、イネーブルスイッチを有効な構成から無効な構成に変更させ、スポットライトモードアダプタが接続サイトに取り付けられるとき、光源からの光は、ハウジングから放出され得、パネルモードアダプタは、接続サイトにおいてハウジングアセンブリと取り外し可能に接続されるように構成され、パネルモードアセンブリは、一端がパネルモードアダプタに接続され、他端が光放出パネルに接続される細長い可撓性の光パイプを含み、パネルモードアセンブリは、パネルモードアダプタが接続サイトに取り付けられるとき、光が光源から可撓性光パイプを通って光放出パネルに伝達されることを可能にする。
【０００７】
本発明の他の態様によると、ハウジングアセンブリと、青色発光スペクトルの範囲内の光を放出するように構成されるLEDアセンブリとを有する乳幼児光線治療装置が提供され、LEDアセンブリは、給電されるとハウジングアセンブリの一端から光を放出するように、この両方の端部の間のハウジングアセンブリ内に取り付けられ、ハウジングアセンブリは、通常、円筒型の外部表面を有するが、中心部の直径は、反対側の部分の直径よりも小さい。
【０００８】
本発明の他の態様によると、ハウジングアセンブリと、LEDアセンブリと、回路基板と、オンオフスイッチと、ファンとを有する乳幼児光線治療装置が提供され、LEDアセンブリは、給電されると、青色発光スペクトルの出力を有する光源を提供し、LEDアセンブリは、両側の端部の間のハウジング内に取り付けられ、回路基板は、LEDアセンブリと並んで、ハウジングアセンブリ内に取り付けられるLEDアセンブリと電気的に接続され、オンオフスイッチは、ハウジングアセンブリにおいて、LEDアセンブリへの電源供給を制御するように前記回路基板に電気的に接続され、ハウジングアセンブリの両側の端部は、空気が通過する入口及び出口を有し、ファンは、回路基板に電気的に接続され、入口、中間の流路、及び出口を連続的に通って空気を循環させる位置において、ハウジングアセンブリ内に取り付けられる。
【０００９】
本発明の他の態様によると、手で携帯可能なハウジングアセンブリと、ハウジングアセンブリ内に配置され、青色発光スペクトルの範囲内の光を放出可能なLED光源と、LED光源によりハウジングアセンブリの外に放出される光と干渉することなく、取り外し可能なようにしっかりと内部にハウジングアセンブリを含むように構成されるバッグのような構造とを有する乳幼児光線治療アセンブリが提供され、このバッグのような構造は、ここに接続される取り付けストラップを含む。
【００１０】
本発明の他の態様によると、ハウジングアセンブリと、ハウジングアセンブリによって担持される光源と、ハウジングアセンブリと取り外し可能なように接続されるパネルモードアダプタを含むパネルモードアセンブリと、ハウジングアセンブリをつるすサスペンション構造とを有する乳幼児光線治療装置が提供され、パネルモードアセンブリは、細長い可撓性の光パイプ及び光放出パネルを更に有し、光パイプは、光源と光放出パネルとの間の光の伝搬を提供し、その結果、パネルモードアダプタがハウジングアセンブリと接続されるとき、光源により放出される光は、光パイプを通って、光放出パネルに送られ、パネルモードアダプタがハウジングアセンブリから切断され、ハウジングアセンブリがサスペンション構造から吊り下げられる場合、ハウジングから放出される光は、患者に投影され得る。
【００１１】
動作方法、構造の関連要素の機能、部品の組み合わせ、及び製造の経済性だけでなく、本発明のこれら及び他の目的、フィーチャ、及び特徴は、添付された図面を参照して、以下の説明及び添付された請求項を考慮して明らかにされ、これら全ては、この明細書の一部を形成し、類似の参照符号は、様々な図における対応する部分を指す。しかしながら、図面が説明のみを目的とし、本発明の制限を規定するとして意図されないことは、明示的に理解されるべきである。明細書及び請求項において使用される単数形の表記は、文脈で明確に述べていない限り、複数形を含む。
【図面の簡単な説明】
【００１２】
【図１】図１は、乳幼児に対して包まれるパネルモードの装置を示す、本発明の一態様を実施する乳幼児光線治療装置の斜視図である。
【図２】図２は、乳幼児光線治療装置自体の斜視図である。
【図３】図３は、治療の間、パネルアセンブリを覆うために使用されるパネルシースを示す、図２に類似した斜視図である。
【図４】図４は、スポットライトモードで使用するためのサスペンション構造の部分と装置のハウジングアセンブリとの間のインタフェースを図示する斜視図である。
【図５】図５は、装置がスポットライトモードであるときの動作位置におけるサスペンション構造を示す装置の斜視図である。
【図６】図６は、ハウジングアセンブリに挿入する前のパネルモードアダプタを示す、本発明の装置のハウジングアセンブリの斜視図である。
【図７】図７は、ハウジングアセンブリ内に部分的に挿入されるパネルモードアダプタを示す、図６に類似した斜視図である。
【図８】図８は、ハウジングアセンブリに対して接続されるパネルモードアダプタを示す、図６に類似する斜視図である。
【図９】図９は、ハウジングアセンブリの内部を図示するように、ハウジングアセンブリの上半分を省いたハウジングアセンブリの斜視図であり、回路基板内部も、より明確に図示する目的で省かれる。
【図１０】図１０は、図９の線１０に沿って得られる拡大された断片的な断面図であり、図９の省かれた部分を含むが、スポットライトモードアダプタは、ハウジングアセンブリに接続される、ハウジングアセンブリのアダプタ端部を示す。
【図１１】図１１は、図９の線１１に沿って得られる断面図であり、ハウジングの下半分のシェルと上半分のシェルとの相互接続を示す。
【図１２】図１２は、本発明の一態様を実施するバッグのような構造の一実施例に挿入する前の位置における、ハウジングアセンブリの斜視図である。
【図１３】図１３は、本発明の一態様を実施するバッグのような構造の一実施例に挿入する前の位置における、ハウジングアセンブリの斜視図である。
【発明を実施するための形態】
【００１３】
図面をより詳細に参照すると、図１において、本発明の様々な態様を実施する、通常１０で示される乳幼児光線治療装置が示される。この装置１０は、図１に図示されるパネルモード及び図５に図示されるスポットライトモードの２つのモードで選択的に動作可能である。
【００１４】
図１及び２に示されるように、装置１０は、通常１２で示されるハウジングアセンブリを有し、該ハウジングアセンブリは、ここに含まれる治療用光源１４を有する（図９及び１０を参照されたい）。一態様によると、光源１４は、１又はそれより多くの発光ダイオード（LED）を有し得る。LED光源１４は、出力強度が55mW/cm2/nmより大きく、寿命は、600時間以上であり得、青色光スペクトルの波長の光を放出する。一態様によると、光源は、約85mW/cm2/nmの出力、及び約35,000時間の寿命を有する。しかしながら、黄疸の治療に有用である他の既知の光源も使用され得る。例えばハロゲン又は蛍光体の光源は、例えば'899特許で開示されるように使用され得る。
【００１５】
パネルモードで動作する場合、図１に示されるように、装置１０は、細長い可撓性光伝搬アセンブリを含むパネルモードアセンブリ１５又は光パイプ１６、可撓性光放出パネルアセンブリ１８、及びパネルモードアダプタ２２を含む。パネルモードアダプタ２２は、ハウジングアセンブリ１２内において、光源１４から光を伝達するように、接続サイト１３においてハウジングアセンブリ１２に取り外し可能に接続され得る遠位端を有する。したがって、光源１４からの光は、円筒形の構成と中空の中心通路を有するパネルモードアダプタ２２を通って光パイプ１６に伝搬され、光パイプ１６を通ってパネルアセンブリ１８に伝搬され得る。一態様によると、光パイプ１６は、１若しくはそれより多くの光ファイバケーブル又はコード（chord）を有し得る。光パイプ１６及びパネルアセンブリ１８のどちらも従来技術で知られるタイプで有り得、前述の米国特許６４９４８９９に記載され、これは、参照することによって、本願に含まれる。
【００１６】
図３は、治療する間、乳幼児をより快適に収容するため、中でパネルアセンブリ１８を受けるように、一端に開口部２１を有する一般的なソフトシース又はカバー２０を図示する。シース又はカバー２０は、使い捨てであり、光が乳幼児の皮膚に受けられ得るように、パネル１９から放出される光に対して透過性であり得る。
【００１７】
図１に最も良く示されるように、パネルモードで示される装置１０は、乳幼児、特に新生児の黄疸の治療に有用である。パネルモードでは、（オプションとしてシース２０で覆って）パネルアセンブリ１８で乳幼児を巻き、医師によって決定され得るように、所定の期間、光源１４を給電する。
【００１８】
パネルモードでは、パネルモードアダプタ１２は、パネルモードでアセンブリ１５とハウジングアセンブリ１２との間のインタフェースとして使用され、一態様において、以下で説明されるように、イネーブルスイッチを有効にするために使用され得る。
【００１９】
図４及び５において最も良く示されるように、スポットライトモードでは、スポットライトモードアセンブリ２３が使用され得る。スポットライトモードアセンブリ２３は、一般的に２４で示されるスポットライトアダプタ、及びサスペンション構造２６を含む。スポットライトアダプタ２４は、接続サイト１３において、ハウジングアセンブリ１２と接続し、ハウジングアセンブリ１２をサスペンション構造２６と接続させるために使用される。図５に示されるように、サスペンション構造２６は、調整可能な接合ユニット３０に接続される取り付け部２８を含む。調節可能な接合ユニット３０は、間をピボット接合部３６により枢動可能に相互接続される袖状要素の対３２及び３４を含む。ピボット接合部３６は、要素３２及び３４の間のインターピボットを可能にするように、１つの方向にハンドル部３８を回転させることによって解除され得、移動された相対的なピボット位置に要素３２及び３４を固定するように、反対側の方向にハンドル部３８を回転させることによってロックされ得る。
【００２０】
サスペンション構造２６は、ともにユニット３０のように構成される２つの中間的な調整可能接合ユニット４０及び４２を含む。接合ユニット４０は、細長い管状又は棒状の部材４３によって、接合ユニット３０に相互接続される。同様に、接合ユニット４２は、管状又は棒状の部材４４によって接合ユニット４０に相互接続される。サスペンション構造２６は、調整可能なユニバーサル接合ユニット４８によってスポットライトアダプタ２４に接続する。図４に示されるように、ユニット４８は、ロッド５１によってスポットライトアダプタ２４の外側に空間を隔てて固定されるボール５０を含む。接合ユニット４８は、差動ハンドル５４によって、ボール５０に解放可能に固定される可動顎部５２も含む。接合ユニット４８は、管状又は棒状の部材４６によって、接合ユニット４２に接続される。
【００２１】
スポットライトモードで動作される場合、スポットライトアダプタ２４は、ハウジングアセンブリ１２に固定されて接続されるとき、光源１４によって放出される光が通過するための、この管状構造（図４及び１０を参照されたい）による開口部２５を備える。スポットライトモードでのハウジングアセンブリから放出される光の適切な方向付けは、ベッド、ベビーベッド（crib）、又は他の取り付け構造に対する固定された位置において、取り付け部材２８を締め付けた後、調整可能ユニット３０，４０，４２及び／又は４８を調整することによって達成され得る。サスペンション構造２６は、多くの異なる形態をとり得、一実施例によると、スポットライトモードで使用する（すなわちパネルモードアセンブリ１５を使用することなく、乳幼児の皮膚に照明する）要件は、ハウジングアセンブリ１２を吊るす、固定する、又は配置することのみである。
【００２２】
ハウジングアセンブリ１２は、いずれかの適当な構造、形状、又は構成でもあり得る。一実施例によると、これは、軽量（例えばプラスチック又はエラストマ材料）で構成され、片手である位置から他の位置に容易に担持され得る。ハウジングアセンブリ１２は、示されるように、通常、対向する端部５８及び６０の間に配置される滑らかな外部グリップ表面５６を有する。グリップ表面５６の構成は、通常、ハウジングアセンブリ１２の対向する端部５８及び６０の間の円筒形又は管形であり、両側の端部よりも短い円周サイズの中心部を有し、片手で携帯可能な態様で、ユーザがハウジングアセンブリ１２を容易につかみ、保持することを可能にする。
【００２３】
図９及び１０の実施例において最も良く示されるように、グリップ表面５６を備えるハウジングアセンブリ１２の構造は、成形プラスチックの相補的な上半分及び下半分のシェル６２及び６４を有する。図１１に示されるように、半分のシェル６２及び６４は、この相互係合する縁に沿った相互係合フランジ６６及び６８を有する。図１０からわかるように、半分のシェル６２及び６４の端部は、（図１０では５８のみが示されるが）関連付けられる端部５８又は６０の周辺部を重ねるように、わずかに内側に湾曲される。このような端部は、端部５８及び６０の周辺に形成される対向する環状突起部７０を受けるように内部に形成される、内部環状溝７１を有する。一実施例によると、ハウジングアセンブリ１２は、砂時計の形状を有する。もちろん、他の様々な形状も、本発明の教示から逸脱することなく活用され得る。例えば、装置は、ユーザの手にフィットするように構成される段付き又はエルゴノミクスの構成を有し得る。砂時計の形状は、ユーザが容易に把み得る２つの対向する円錐部分を備える。端部がより大きいことは、装置がユーザの手から滑り落ちる可能性を低下させる。更に、本願発明者らは、この形状がユーザの腕の下に便利にしまい込まれ、運ぶことが必要とされる場合に、ユーザの腕と側面との間の適切な位置で保持され得ることも考慮する。
【００２４】
図９乃至１１に示されるように、光源１４は、ハウジングアセンブリ１２内に担持される。一態様によると、前述のように、光源１４は、１又はそれより多くのLEDを有する。特に示されるように、LEDアセンブリ７２が設けられ得る。またハウジングアセンブリ１２内には、LEDアセンブリ７２を冷却するファンアセンブリ７４と、光源１４（又はLEDアセンブリ７２）及びファンアセンブリ７４の動作を制御するコントローラを有する回路基板とがある。回路基板７６上のコントローラは、以下に記載されるようにイネーブルスイッチ７８及びオンオフスイッチ８０と機能的に通信する。コントローラは、ハードウェア及び／又はソフトウェアの任意の組み合わせを含む、任意のタイプのプロセッサでもあり得る。また、コントローラは、スイッチ７８，８０、光源１４、及びファンアセンブリ７４の接続及び動作のために、単に回路素子を有し得る。
【００２５】
一態様によると、装置１０により実施される回路は、米国特許ＵＳ６４９４８９９に含まれる教示のいくつか又は全てを含み得る。
【００２６】
イネーブルスイッチ７８（図１０を参照されたい）は、スイッチ７８を作動させる接触部７９を有する。スイッチ７８は、回路基板７６に電気的に接続され、その結果（例えば接触部７９の係合によって）作動された場合、グリップ表面５６の開口部８２に位置されるオンオフスイッチ８０は、LEDアセンブリ７２及びファンアセンブリ７４の給電を制御するように機能し得る。一方で、後に議論されるように、イネーブルスイッチ７８が作動されていない場合、オンオフスイッチ８０は、LED光源１４が動作できないように無効にされる。
【００２７】
オンオフスイッチ８０は、スイッチ機構８１及びプッシュボタン８３を有する。オンオフスイッチ８０は、従来技術で知られる任意のタイプのものであり得る。しかしながら、他の態様によると、オンオフスイッチは、なしで済ますことが可能であり、光源１４は、モードアダプタ２２又は２４の一方がイネーブルスイッチ７８の接触部７９と係合するときはいつでもオンにされるだろうということが意図される。光源１４は、（オンオフスイッチ８０なしの）この実施例において、モードアダプタがインストールされてないときにオフにされる。
【００２８】
アセンブリ７２及び７４の電源は、ハウジングアセンブリ１２の端部６０の中心部分を通って延在する電気コード８４によって、回路基板７６と通信される通常のAC電源である。しかしながら、DC電源又はバッテリのような任意の電源も使用され得る。
【００２９】
図１０からよく分かるように、ハウジングアセンブリ１２は、開口部８２とは反対側の位置において、グリップ表面５６に窓８６を含む。ディスプレイ８８は、液晶ディスプレイ（LCD）、発光ダイオード（LED）ディスプレイ、又は他のタイプのディスプレイの形態を取り得、窓８６を通じて見られ得る位置に配置される。ディスプレイ８８は、装置の治療時間、すなわちオンオフスイッチ８０が最近押圧されてから光源１４がオンである時間の合計を提供するために、回路基板７６上に設けられるタイマ又はクロックと接続され得る。一態様によると、スイッチ８０がオフにされる毎に、タイマ又はクロックはリセットするであろう。他の態様によると、ディスプレイは、これに加えて又は代替として、LEDアセンブリ７２の全使用時間、イネーブルスイッチ７８が有効にされているか否か、及びオンオフスイッチ８０がオンにされているか否かを示す。
【００３０】
ハウジングパーツ５８、６０、６２及び６４と、内部パーツ７２、７４、７６、７８、８０及び８８は、接着剤又は他の接着手段によって一体構造に形成されるか、又は代替の実施例において、スナップ式の接続、ネジ接続、若しくは任意の従来の接続であり得る。
【００３１】
LEDアセンブリ７２は、延在する通気口９２を有するLED取り付け構造９０を含み、読み出しLCD８８のすぐ上の位置に、下半分のハウジングシェルの内部の中心に固定して取り付けられる。ファンアセンブリ７４は、LED取り付け構造９０の通気口９２を通じて空気を吸い込む位置において、LED取り付け構造９０に隣接した下半分のハウジングシェル６４に固定される。
【００３２】
LED取り付け構造９０の通気口９２を通じて吸い込まれる空気は、ハウジングアセンブリ１２の外から来て、通気口９２に達する前に、端部５８で環状に形成される一連の通気口９４（図９及び１０を参照されたい）を通じて吸い込まれる。通気口９２を通じて吸い込まれる空気は、端部６０で環状に形成される一連の通気口９６（図９を参照されたい）を通じて、ファンアセンブリ７４によって、ハウジングアセンブリ１２の外に循環される。
【００３３】
回路基板７６、オンオフスイッチ８０、及びイネーブルスイッチ７８は、初めに全て、上半分のハウジングシェル６２に固定される。各半分のハウジングシェル６２及び６４が、それぞれの内部パーツに固定された後、半分のシェルは、合わされ、接着されるか、又はフランジ６６及び６８を相互に係合させて締められる。シェル６２及び６４が一緒に移動される場合、回路基板７６は、下半分のシェルと統合して形成され、ここから上方に延在する一連の直立したポスト９７に対して、支持された関係で移動されることに留意されるべきであろう（図１１を参照されたい）。
【００３４】
図９に示されるように、端部の部材５８の中心は、アダプタ２２及び２４のうちのどちらかを選択的に接続するように、接続サイト１３を規定する。この目的のため、端部の部材５８の中心において、軸方向外側に突き出す環状の接続部９８は、開口部１０３を中で受けるアダプタを規定する内部表面１００を有するように形成される。接続部９８の上部リム１０１及び内部表面１００は、ノッチ又はスロット１０２が中に形成される内部によって規定される。
【００３５】
図６乃至８及び１０からわかるように、アダプタ２２及び２４の各々が、内部表面１００により規定される開口部１０３内に入るように構成されるサイズの管状の前方部分１０４を含む。各管状の前方部分１０４の後方端部は、肩１０６又は停止表面を放射状に外側に拡張させることによって規定され、統合されて拡大された直径の管状部分１０８に遷移する（図６を参照されたい）。肩１０６と空間を隔てて、各前方管状部分１０４の外部表面から外側に拡張する、ノッチ１０２に入るラグ１１０がある。
【００３６】
パネルモードアダプタ２２は、パネルモードで装置１０を動作させることを所望するときに、アセンブリ１６に取り付けられるアダプタ２２が、図６に示されるように内部表面１００によって規定される開口部を通して挿入するように位置づけられるように、光伝搬アセンブリ１６の近位端に固定される。それからパネルモードアダプタ２２の前方部分１０４は、図７に示されるようにラグ１１０をノッチ１０２と位置合わせするように考慮し、表面１００によって規定される開口部１０３に挿入される。それからこの位置において、アダプタ２２は、肩１０６が突出した接続部９８の端部表面１０１と係合するまで、内部的に移動され得る。最終的に、アダプタ２２を少し回転させることにより、ラグ１１０は、図８に示されるように表面１００によって規定される内部フランジ（図示略）の背後に移動し、ロックされた接続を完成させるであろう。
【００３７】
特に図１０を参照すると、アダプタ２２又は２４は、上述の態様でハウジングアセンブリ１２と接続するように移動され、アダプタ（２２又は２４）の前方管状部１０４の上部前方端部は、イネーブルスイッチ７８の接触部７９によって占有されるハウジングアセンブリ１２内の空間を通って移動し、その結果、LEDアセンブリ７２の動作を有効にするように、接触部７９を係合させるであろう。特に両方のアダプタ２２及び２４がハウジング１２と切断される場合、イネーブルスイッチ７８は、通常、無効な状態にあり、オンオフスイッチ８０がオンの位置に移動される場合でも、LEDアセンブリ７２及びファンアセンブリ７４を給電しないように、回路基板７６に接続される。この結果、LEDアセンブリ７２は、上記のように一方又は他方のアダプタ２２又は２４がハウジングアセンブリと接続された関係にない限り、給電され得ない。結果として、装置１０は、家庭で使用する介護者に対して、パネルモードアダプタ２２並びにこのパネルモード構造１６、１８及び２０とともに販売され得る。スポットライトモードアダプタ２４及びこのサスペンション構造２６は、通常、病院で使用するように保持される。病院での使用は、かなり多用途であり、装置１０は、パネルモード又はスポットライトモードで使用され得る。
【００３８】
イネーブルスイッチ７８が、例えば接触スイッチ、電磁スイッチ、光学スイッチ、磁気センサ、近接センサ、又は他のセンサのようないかなるタイプでもあり得ることは、理解されるべきである。
【００３９】
イネーブルスイッチ７８は、オプションであり、装置は、アダプタ２２又は２４の一方がハウジング１２に接続されるか否かに関わらず、オン／オフスイッチ８０がLEDアセンブリ７２の動作を完全に制御するように製造され得る。更に、一実施例において、光源１４からの光は、アダプタ２４の管状構成を通過することなく、ハウジングから直接放射するので、スポットライトモードアダプタ２４がオプションであることは、理解されるべきである。このような実施例において、ハウジング１０が、スポットライトモードで使用するため、ハウジング１２の異なる部分にサスペンション構造２６を接続することによって取り付けられ得ることは、理解され得る。例えばサスペンション構造２６（「支持構造」とも称される）は、ハウジング１２のいずれかの部分（例えばハウジングの中間又は後方部分）と、例えばクイック接続、クォーターターン結合、ネジ接続、クランプ接続、干渉フィット接続等のようないずれかの既知の結合によって接続し得る。更に、支持構造は、サスペンション構造２６とは完全に異なる構成を取り得る。例えば、ハウジング１２と実際に接続せずに、ハウジング１２を単につかむ若しくはクランプするか、又はハウジング１２が置かれ得る支持表面を単に提供し得る。サスペンション構造は、ハウジングアセンブリ１２から放出される光の位置決めを可能にする、任意の機械的な構成を有し得ると理解される。このような実施例において、パネルモードアダプタが、光源１４と光のパイプ１６との間の光の伝搬を促進する任意の構造を構成し得ることも、理解されるべきである。
【００４０】
特に図１２を参照すると、ハウジングアセンブリ１２と容易にインタフェースされ得る付属品が示される。付属品は、バッグのような構造であり、通常１１２で示される。バッグのような構造１１２は、織られた布地又は可撓性プラスチックのような適切な可撓性材料から形成される。バッグのような構造１１２は、ハウジングアセンブリを固定して包含し、ハウジングアセンブリ１２を動作する位置に取り付ける、又は担持するのに便利な構成を提供する。
【００４１】
図１２に示されるように、バッグのような構造１１２の主な部分は、ハウジングアセンブリ１２のグリップ表面５６に渡って近接して適合し、係合するように形成される。バッグのような構造１１２の一端１１３は、ハウジングアセンブリを、接続サイト端を先に挿入するように開けられる。バッグのような構造１１２の端部１１３を通るハウジングアセンブリ１２の位置決めを支援するため、ジッパーアセンブリ１１４は、端部１１３から内側に設けられ得る。ジッパーアセンブリ１１４は、挿入を円滑にするため、図１２に示されるように開けられ、バッグのような構造１１２が、グリップ表面と密接に係合し、これによってハウジングアセンブリ１２を固定して包含するように挿入した後に閉じられる。
【００４２】
他の実施例において、図１３に示されるように、ジッパーが設けられない。むしろ、バッグのような構造１１２の材料１１５は、元々弾性であり、（例えばウェットスーツのように）伸縮して、ぴったりとした態様でハウジングアセンブリ１２を受け、収容し得る。
【００４３】
図１２からわかるように、装置を受ける開口部１１３を有する端とは反対側の、バッグのような構造１１２の端部は、ハウジングアセンブリ１２がバッグのような構造１１２内に固定して含まれる場合、通気口９４と位置合わせされる開口部１１６を中に含む。このように、バッグのような構造１１２内に固定して含まれる場合、ハウジングアセンブリ１２内の完全な空気の循環は、維持され得る。開口部１１６も、バッグのような構造１１２に固定して包含される場合、アダプタ２２又は２４が、ハウジングアセンブリ１２と接続されることを可能にする。
【００４４】
図１２は、バッグのような構造１１２が、オンオフスイッチスイッチ８０と位置合わせして配置される側面開口部１１８を有するように形成されることを示す。この結果、ユーザは、ハウジングアセンブリがバッグのような構造に固定して包含される場合、オンオフスイッチ８０と便利に係合させることが可能である。類似した開口部（図示略）は、ディスプレイ８８に対して設けられる。
【００４５】
図１２は、バッグのような構造１１２が、この外部表面に固定されるストラップアセンブリ１２０を含むことも図示する。ストラップアセンブリ１２０は、任意に構成され得るが、示されるように、２つのストラップ部１２２及び１２４に分割される。ストラップ部１２２は、バッグのような構造１１２の外部表面に接続される一端を有し、この自由端に取り付けられるソケットコネクタ１２６を有する。ストラップ部１２４は、バッグのような構造１１２の外部に接続される一端と、ソケットコネクタ１２６にロック及び解除可能な弾性のラッチコネクタ１２８で取り付けられる自由端とを有する。
【００４６】
バッグのような構造を取り付けるため、２つのストラップ部１２２及び１２４は、動作コネクタ１２６及び１２８を解放することによって、お互いから切断され得る。ストラップ部１２２及び１２４は、ベビーベッドのレール等に配置され得、コネクタ１２６及び１２８によって接続され、これによって、ベビーベッドのレール等から含まれるハウジングアセンブリ１２に対する支持を提供する。このような取り付けは、装置１０がパネルモードで使用される場合、大抵のユーティリティを提供するが、スポットライトモードで使用される場合、装置１０を収容し得る。ストラップアセンブリ１２０は、ユーザが、装置１０のハウジングアセンブリ１２を複数の異なる動作部位に位置づけられるような、十分な汎用性を備える。ストラップアセンブリ１２０は、上記の位置の間で装置１０を運ぶことも容易にする。更なる汎用性は、バッグのような構造１１２に対するストラップ部の接続をベルクロタイプにすることによって提供され得る。
【００４７】
本発明は、現在最も実用的且つ好ましい実施例と思われるものに基づいて、説明目的で詳細に記載されているが、このような詳細は、単にこの目的のためにあり、本発明は、開示された実施例に制限されないが、一方で添付の請求項の主旨及び範囲内にある等価の構成及び修正例をカバーするとして意図されることを理解されるべきである。例えば任意の実施例の１又はそれより多くの特徴が任意の他の実施例の１又はそれより多くの特徴と組み合わされ得るということを、本発明が可能な限り考慮していることは、理解されるべきである。
【図１】
0005906279.tif 000002
【図２】
0005906279.tif 000003
【図３】
0005906279.tif 000004
【図４】
0005906279.tif 000005
【図５】
0005906279.tif 000006
【図６】
0005906279.tif 000007
【図７】
0005906279.tif 000008
【図８】
0005906279.tif 000009
【図９】
0005906279.tif 000010
【図１０】
0005906279.tif 000011
【図１１】
0005906279.tif 000012
【図１２】
0005906279.tif 000013
【図１３】
0005906279.tif 000014